(57)【要約】【課題】読取装置の輸送時の振動や衝撃に起因する光学的な変動を防止するとともに、異物を適切に除去することができる技術を提供することが課題である。【解決手段】筐体と、光源ユニットと、光源ユニットと連動して筐体内で原稿からの反射光の光路を規定するミラーユニットと、ミラーユニットを固定するためのロック機構と、を備え、ミラーユニットは、反射光を反射するミラー部材を含み、ロック機構は、ミラーユニットを固定するために操作される操作部材と、操作部材が接続される第１部材と、ミラーユニットの移動を許容する解除位置とミラーユニットを固定するロック位置との間で移動する第２部材と、を含むロック部材と、第２部材に取り付けられたクリーニング部材と、を含み、解除位置とロック位置との間で、第２部材が移動する間、クリーニング部材は、ミラー部材に対して摺接されることを特徴とする読取装置。【選択図】図４
2013007885.tif 000002
【特許請求の範囲】
【請求項１】
原稿が載置される載置板を含む筐体と、
前記載置板に沿って移動し、前記原稿に向けて光を照射する光源ユニットと、
前記光源ユニットと連動して前記筐体内で前記原稿からの反射光の光路を規定するミラーユニットと、
前記ミラーユニットを固定するためのロック機構と、を備え、
前記ミラーユニットは、前記反射光を反射するミラー部材を含み、
前記ロック機構は、
前記ミラーユニットを固定するために操作される操作部材と、
該操作部材が接続される第１部材と、前記操作部材に対する操作によって前記ミラーユニットの移動を許容する解除位置と前記ミラー部材を覆い前記ミラーユニットを固定するロック位置との間で移動する第２部材と、を含むロック部材と、
前記第２部材に取り付けられたクリーニング部材と、を含み、
前記解除位置と前記ロック位置との間で、前記第２部材が移動する間、前記クリーニング部材は、前記ミラー部材に対して摺接されることを特徴とする読取装置。
【請求項２】
前記操作部材は、回転操作される回転シャフトを含み、
前記第１部材は、前記回転シャフトの回転に伴って回転することを特徴とする請求項１に記載の読取装置。
【請求項３】
前記回転シャフトは、前記筐体に取り付けられることを特徴とする請求項２に記載の読取装置。
【請求項４】
前記クリーニング部材は、弾性的に圧縮変形する材料から形成されることを特徴とする請求項１乃至３のいずれか１項に記載の読取装置。
【請求項５】
前記反射光に基づき、前記原稿の画像データを生成するデータ生成部を更に備え、
前記ミラーユニットは、前記光源ユニットと前記データ生成部との間の所定の光学的距離を保ちつつ、前記筐体内で移動することを特徴とする請求項４に記載の読取装置。
【請求項６】
請求項５に記載の読取装置と、
前記画像データに基づき画像を形成する画像形成部と、を備えることを特徴とする画像形成装置。
【発明の詳細な説明】
【技術分野】
【０００１】
本発明は、原稿上の画像を読み取る読取装置と、当該読取装置を備える画像形成装置に関する。
【背景技術】
【０００２】
コピー機やスキャナー装置といった画像形成装置は、多くの場合、透明な載置板と、載置板の下方で移動する光源ユニットと、光源ユニットと連動して移動するミラーユニットと、原稿からの反射光に基づき原稿の画像データを生成する光学素子（例えば、ＣＣＤカメラ）を備える。使用者は、載置板上に原稿を載置することができる。光源ユニットは、移動しながら発光し、原稿からの反射光をミラーユニットへ伝搬させる。ミラーユニットは、ＣＣＤカメラと光源ユニットとの間で所定の光学的距離が保たれるように移動する（例えば、特許文献１乃至３を参照）。
【０００３】
上述の文献は、読取装置の輸送時における読取装置の光学部材に対する様々な固定技術を開示する。これらの固定技術は、読取装置の輸送の間の振動や衝撃に起因する読取装置の光学的な設定の変動を低減する。
【先行技術文献】
【特許文献】
【０００４】
【特許文献１】特開２００１−２３５８１０号公報
【特許文献２】特開平７−２３４４５５号公報
【特許文献３】特開平７−２４０８２１号公報
【発明の概要】
【発明が解決しようとする課題】
【０００５】
読取装置の光学素子への異物（例えば、埃）の付着は、原稿の画像の読取に悪影響を及ぼす。特に、読取装置の輸送時において発生する振動や衝撃は、読取装置内において異物を浮遊させやすい。
【０００６】
上述の開示技術は、光学素子への異物の付着に取り組むものではない。
【０００７】
本発明は、読取装置内での異物を除去するための構造を備える読取装置と、当該読取装置を備える画像形成装置を提供することを目的とする。
【課題を解決するための手段】
【０００８】
本発明の一局面に係る読取装置は、原稿が載置される載置板を含む筐体と、前記載置板に沿って移動し、前記原稿に向けて光を照射する光源ユニットと、前記光源ユニットと連動して前記筐体内で前記原稿からの反射光の光路を規定するミラーユニットと、前記ミラーユニットを固定するためのロック機構と、を備え、前記ミラーユニットは、前記反射光を反射するミラー部材を含み、前記ロック機構は、前記ミラーユニットを固定するために操作される操作部材と、該操作部材が接続される第１部材と、前記操作部材に対する操作によって前記ミラーユニットの移動を許容する解除位置と前記ミラー部材を覆い前記ミラーユニットを固定するロック位置との間で移動する第２部材と、を含むロック部材と、前記第２部材に取り付けられたクリーニング部材と、を含み、前記解除位置と前記ロック位置との間で、前記第２部材が移動する間、前記クリーニング部材は、前記ミラー部材に対して摺接されることを特徴とする（請求項１）。
【０００９】
上記構成によれば、光源ユニットは、原稿が載置された載置板に沿って移動し、光を原稿に向けて照射する。ミラーユニットは、光源ユニットと連動して筐体内で前記原稿からの反射光の光路を規定する。ミラーユニットは、反射光を反射するミラー部材を含む。ミラーユニットを固定するためのロック機構は、ミラーユニットを固定するために操作される操作部材と、ロック部材と、を含む。ロック部材は、操作部材が接続される第１部材と、操作部材に対する操作によって解除位置とロック位置との間で移動する第２部材とを含む。解除位置にある第２部材は、ミラーユニットの移動を許容する。一方、ロック位置にある第２部材は、ミラー部材を覆う。この結果、ミラーユニットは、固定される。解除位置とロック位置との間で、第２部材が移動する間、クリーニング部材は、ミラー部材に対して摺接されるので、ミラー部材に付着した異物は適切に除去される。
【００１０】
上記構成において、前記操作部材は、回転操作される回転シャフトを含み、前記第１部材は、前記回転シャフトの回転に伴って回転することが好ましい（請求項２）。
【００１１】
上記構成によれば、操作部材は、回転操作される回転シャフトを含む。第１部材は、回転シャフトの回転に伴って回転する。この結果、第２部材は、解除位置とロック位置との間で移動することができる。解除位置とロック位置との間で、第２部材が移動する間、クリーニング部材は、ミラー部材に対して摺接されるので、ミラー部材に付着した異物は適切に除去される。
【００１２】
上記構成において、前記回転シャフトは、前記筐体に取り付けられることが好ましい（請求項３）。
【００１３】
上記構成によれば、回転シャフトは、筐体に取り付けられるので、第２部材がロック位置にある間、ミラーユニットは、筐体に対して適切に固定される。
【００１４】
上記構成において、前記クリーニング部材は、弾性的に圧縮変形する材料から形成されることが好ましい（請求項４）。
【００１５】
上記構成によれば、クリーニング部材は、弾性的に圧縮変形する材料から形成されるので、クリーニング部材の摺擦の間、ミラー部材に過度の負荷は生じない。
【００１６】
上記構成において、前記反射光に基づき、前記原稿の画像データを生成するデータ生成部を更に備え、前記ミラーユニットは、前記光源ユニットと前記データ生成部との間の所定の光学的距離を保ちつつ、前記筐体内で移動することが好ましい（請求項５）。
【００１７】
上記構成によれば、読取装置は、反射光に基づき、原稿の画像データを生成するデータ生成部を更に備える。ミラーユニットは、光源ユニットとデータ生成部との間の所定の光学的距離を保ちつつ、筐体内で移動するので、データ生成部は、画像データを適切に生成することができる。
【００１８】
本発明の他の局面に係る画像形成装置は、上述の読取装置と、前記画像データに基づき画像を形成する画像形成部と、を備えることが好ましい（請求項６）。
【００１９】
上記構成によれば、上述の読取装置が生成した画像データの基づき画像が形成される。したがって、読取装置内の異物に影響をほとんど受けることなく、画像が適切に形成される。
【発明の効果】
【００２０】
本発明に係る読取装置及び画像形成装置は、読取装置内での異物を除去することができる。
【図面の簡単な説明】
【００２１】
【図１】画像形成装置として例示される複写機の概略的な斜視図である。
【図２】図１に示される複写機の内部構造の概略的な断面図である。
【図３】図１に示される複写機が備える読取装置の概略的な斜視図である。
【図４】図３に示されるミラーユニット及びロック機構の概略的な斜視図である。
【図５】図３に示されるミラーユニット及びロック機構の概略的な斜視図である。
【図６Ａ】クリーニング層によるクリーニング動作を表す概略的な断面図である。
【図６Ｂ】クリーニング層によるクリーニング動作を表す概略的な断面図である。
【図６Ｃ】クリーニング層によるクリーニング動作を表す概略的な断面図である。
【発明を実施するための形態】
【００２２】
以下、図面を参照しつつ、読取装置及び画像形成装置の一実施形態が説明される。尚、以下の説明で用いられる「上」、「下」、「左」や「右」などの方向を表す用語は、単に、説明の明瞭化を目的とするものであり、読取装置及び画像形成装置の原理を限定するものではない。更に、以下の説明で用いられる「シート」との用語は、コピー用紙、トレーシングペーパー、厚紙、ＯＨＰシートや画像を形成することが可能な他のシートを意味する。
【００２３】
＜画像形成装置＞
図１は、画像形成装置として例示される複写機１００の概略的な斜視図である。尚、画像形成装置として、スキャナー装置や原稿の画像を読み取ることができる装置を搭載した他の装置が用いられてもよい。
【００２４】
複写機１００は、画像を形成するための様々な装置を収容する主筐体１１０を備える。主筐体１１０は、後述される読取装置を収容する上部筐体１２０と、上部筐体１２０の下方に設置される下部筐体１３０と、上部筐体１２０と下部筐体１３０との間に配設された中間筐体１４０と、を含む。
【００２５】
複写機１００は、下部筐体１３０に収容されたカセット１５０を更に備える。使用者は、カセット１５０を前方に引き出し、カセット１５０内にシートを収容することができる。その後、使用者は、カセット１５０を下部筐体１３０内に押し入れることができる。
【００２６】
複写機１００は、シートに画像を形成する画像形成部（後述される）を備える。下部筐体１３０は、画像形成部を収容する。画像形成部は、カセット１５０から搬送されたシートに画像を形成する。
【００２７】
複写機１００は、画像形成後のシートを排出するための排出機構（後述される）を備える。中間筐体１４０は、排出機構を収容する。上部筐体１２０と下部筐体１３０との間には、空間Ｒが形成される。中間筐体１４０内の排出機構は、空間Ｒにシートを排出する。下部筐体１３０の上面１３１には、排出されたシートが蓄積される。
【００２８】
複写機１００は、上部筐体１２０の上面を覆うカバー部材１６０を更に備える。カバー部材１６０は、主筐体１１０に対して回動自在に取り付けられる。使用者は、カバー部材１６０を上方に回動することができる。カバー部材１６０が上方に回動されると、原稿が載置される硝子板（後述される）が現れる。使用者は、カバー部材１６０上に原稿を載置した後、カバー部材１６０を下方へ回動することができる。この結果、原稿は、カバー部材１６０と硝子板との間で安定的に保持される。
【００２９】
尚、カバー部材１６０は、硝子板上へ自動的に原稿を送り込むことができる機構を備えてもよい。このような機構として、様々な既知の複写機に用いられている原稿給紙機構が好適に用いられる。
【００３０】
図２は、複写機１００の内部の構造の概略的な断面図である。図１及び図２を用いて、複写機１００の内部構造が説明される。
【００３１】
上述の如く、複写機１００は、原稿の画像を読み取る読取装置２００を備える。読取装置２００は、上部筐体１２０内に配設される。
【００３２】
読取装置２００は、上述の硝子板２１０に加えて、硝子板２１０の下方で左右に移動する光源ユニット２２０を備える。光源ユニット２２０は、硝子板２１０上に載置された原稿に向けて光を照射する光源部２２１と、原稿からの反射光を受ける第１ミラー部材２２２と、を備える。本実施形態において、透明な硝子板２１０は、載置板として例示される。代替的に、原稿を適切に支持し、原稿への入射光及び原稿からの反射光を透過させることができる他の部材（例えば、透明なプラスチック板）が載置板として用いられてもよい。
【００３３】
読取装置２００は、原稿からの反射光に基づき、原稿の画像に関するデータ（以下、画像データと称される）を生成するＣＣＤカメラ２３０と、ＣＣＤカメラ２３０と光源ユニット２２０との間で反射光の光路を規定するミラーユニット２４０と、を更に備える。光源ユニット２２０の第１ミラー部材２２２は、ミラーユニット２４０に向けて原稿からの反射光を反射させる。ミラーユニット２４０は、第１ミラー部材２２２からの反射光を受ける第２ミラー部材２４１と、第２ミラー部材２４１の下方に配設された第３ミラー部材２４２と、を含む。第２ミラー部材２４１は、第１ミラー部材２２２からの反射光を第３ミラー部材２４２に向けて反射する。第３ミラー部材２４２は、第２ミラー部材２４１からの反射光をＣＣＤカメラ２３０に向けて反射する。ＣＣＤカメラ２３０は、反射光を受光し、反射光の色相や強度に基づいて、画像データを生成する。本実施形態において、ＣＣＤカメラ２３０は、データ生成部として例示される。
【００３４】
ミラーユニット２４０は、光源ユニット２２０の水平移動に連動して、左右に移動し、光源ユニット２２０とＣＣＤカメラ２３０との間の光路長を一定に保つ。この結果、ＣＣＤカメラ２３０は、適切に、画像データを生成することができる。ＣＣＤカメラ２３０が生成した画像データは、上述の画像形成部４００による画像形成に利用される。尚、画像形成部４００の構造は、後述される。
【００３５】
尚、光源ユニット２２０及びミラーユニット２４０を連動させる駆動機構として、既知の複写機に用いられている機構が用いられてもよい。ＣＣＤカメラ２３０に代えて、原稿からの反射光に基づいて、画像データを生成することができる他の光学的装置（例えば、ＣＭＯＳカメラ）が用いられてもよい。
【００３６】
複写機１００は、上述のカセット１５０から画像形成部４００までシートＳを搬送並びに案内する給紙機構３００を更に備える。上述の如く、カセット１５０内には、シートＳの束が収容される。カセット１５０は、シートＳの束の一端を押し上げる。給紙機構３００は、カセット１５０内で押し上げられたシートＳの束に当接するピックアップローラー３１０を備える。ピックアップローラー３１０は回転し、カセット１５０からシートＳを引き出す。
【００３７】
給紙機構３００は、ピックアップローラー３１０から引き出されたシートＳを下流へ搬送する給紙ローラー３２０と、ピックアップローラー３１０から引き出されたシートＳをカセット１５０に向けて押し戻すように回転する分離ローラー３２５と、を更に備える。ピックアップローラー３１０が複数のシートＳをカセット１５０から引き出すならば、給紙ローラー３２０に直接的に接触するシートＳのみが下流へ搬送される一方で、他のシートＳはカセット１５０へ押し戻される。ピックアップローラー３１０が１枚のシートＳを引き出すならば、給紙ローラー３２０は、分離ローラー３２５に打ち勝ち、シートＳを下流へ搬送する。かくして、シートＳは、１枚ずつ下流へ搬送される。
【００３８】
給紙機構３００は、給紙ローラー３２０からのシートＳを画像形成部４００へ中継するレジストローラー対３３０を更に備える。レジストローラー対３３０は、画像形成部４００での画像形成工程に合わせて、画像形成部４００へシートＳを送り込む。
【００３９】
給紙機構として、シートを画像形成部へ搬送することができる他の様々な既知の構造が採用されてもよい。例えば、分離ローラー３２５に代えて、シートＳに摩擦力を加えるパッドや、トルクに応じて回転の制御がなされるローラー構造が用いられてもよい。
【００４０】
画像形成部４００は、下部筐体１３０内で回転する感光体ドラム４１０と、感光体ドラム４１０の周面を略一様に帯電させる帯電器４２０と、を備える。画像形成部４００は、略一様に帯電された感光体ドラム４１０の周面にレーザ光を照射する露光装置４３０を更に備える。露光装置４３０は、上述の画像データに従って、レーザ光を走査する。この結果、取得された画像データに対応する静電潜像が感光体ドラム４１０の周面に形成される。
【００４１】
画像形成部４００は、静電潜像が形成された感光体ドラム４１０の周面にトナーを供給する現像装置４４０を更に備える。現像装置４４０からのトナー供給の結果、静電潜像は現像（可視化）され、画像形成部４００の周面にトナー画像が形成される。
【００４２】
画像形成部４００は、転写ローラー４５０を更に備える。レジストローラー対３３０から送られたシートＳは、感光体ドラム４１０と転写ローラー４５０との間を通過する。この間、感光体ドラム４１０の周面のトナー画像は、静電気的に、シートＳへ乗り移る。かくして、シートＳ上へのトナー画像の転写が完了する。
【００４３】
画像形成部４００は、トナー画像の転写後に残存するトナーを感光体ドラム４１０から除去するクリーニング装置４６０を更に備える。クリーニング装置４６０によって清浄化された感光体ドラム４１０の周面は、帯電器４２０によって再度帯電される。
【００４４】
本実施形態において、画像形成部４００は、単色のトナー画像をシートＳに形成する。代替的に、複数の色相のトナーを用いて画像を形成する既知の画像形成部が用いられてもよい。
【００４５】
本実施形態において、画像形成部４００は、粉末状のトナーを用いて、トナー画像を形成する。代替的に、液状の現像剤を用いて、静電潜像が現像されてもよい。
【００４６】
複写機１００は、シートＳに転写されたトナー画像を定着させる定着ユニット５００を更に備える。定着ユニット５００は、熱源（図示せず）が内蔵された加熱ローラー５１０と、トナー画像をシートＳに定着させるための定着ローラー５２０と、加熱ローラー５１０及び定着ローラー５２０の周囲を周回する加熱ベルト５３０と、定着ローラー５２０に押しつけられる加圧ローラー５４０と、を備える。加熱ローラー５１０は、加熱ベルト５３０を加熱する。加熱ベルト５３０は、その後、定着ローラー５２０と加圧ローラー５４０との間を通過する。シートＳは、定着ローラー５２０を取り巻く加熱ベルト５３０と加圧ローラー５４０との間を通過する。加圧ローラー５４０は、シートＳ上のトナー画像を加熱ベルト５３０に押しつける。この結果、トナー画像はシートＳに定着される。
【００４７】
定着ユニットとして、シート上のトナーを定着させることができる他の構造が採用されてもよい。例えば、トナー画像を定着させるための熱源として、誘導加熱ユニットが用いられてもよい。代替的に、シート上のトナー画像は、加熱されたローラーに直接的に押しつけられてもよい。既知の複写機において、トナー画像を定着させるために用いられている既知の設備の構造が定着ユニットに適用されてもよい。
【００４８】
本実施形態において、上述の排出機構として、排出ローラー対５９０が用いられる。排出ローラー対５９０は、上部筐体１２０と下部筐体１３０との間の空間Ｒに、トナー画像の定着処理後のシートＳを排出する。
【００４９】
本実施形態において、複写機１００は、シートＳの一方の面にトナー画像を形成する。追加的に、複写機は、シートの両面にトナー画像を形成するための既知の装置を備えてもよい。
【００５０】
＜読取装置＞
図３は、上述の読取装置２００の概略的な斜視図である。図１乃至図３を用いて、読取装置２００が説明される。
【００５１】
読取装置２００は、上述の硝子板２１０を支持する筐体２０５を更に備える。上述の光源ユニット２２０、ミラーユニット２４０及びＣＣＤカメラ２３０は、筐体２０５内に収容される。
【００５２】
筐体２０５は、上部筐体１２０内で適切に保持される。筐体２０５に取り付けられた硝子板２１０は、筐体２０５が上部筐体１２０に取り付けられると、上部筐体１２０の上面に露出する。
【００５３】
筐体２０５は、左壁２０６と、左壁２０６とは反対側の右壁２０７と、左壁２０６及び右壁２０７の間で延びる正面壁２０８と、正面壁２０８とは反対側の背面壁２０９と、を含む。読取装置２００は、ミラーユニット２４０を固定するためのロック機構６００を更に備える。ロック機構６００は、背面壁２０９を貫通し、筐体２０５内に挿入された回転シャフト６１０と、回転シャフト６１０の端部に取り付けられたハンドル６１１と、を備える。
【００５４】
図１に示される如く、ハンドル６１１は、複写機１００の筐体１１０外に現れる。使用者は、筐体１１０外に現れたハンドル６１１を動かし、回転シャフト６１０を回転することができる。後述されるように、ハンドル６１１及び回転シャフト６１０は、ミラーユニット２４０を読取装置２００の輸送時に固定するために用いられる。読取装置２００の輸送（複写機１００の輸送）の後、使用者はハンドル６１１を再度操作し、ミラーユニット２４０の固定を解除することができる。固定の解除処理後、筐体２０５内の光源ユニット２２０及びミラーユニット２４０は、左壁２０６と右壁２０７との間で往復移動することができる。尚、ハンドルは、複写機の筐体内に収容されてもよい。この場合、使用者は、複写機の筐体の一部（例えば、外装板）を取り外し、ハンドルを握持並びに操作してもよい。本実施形態において、ハンドル６１１及び回転シャフト６１０は、操作部材として例示される。
【００５５】
＜ロック機構＞
図４及び図５は、ミラーユニット２４０及びロック機構６００の概略的な斜視図である。図３乃至図５を用いて、ミラーユニット２４０及びロック機構６００が説明される。
【００５６】
ミラーユニット２４０は、上述の第２ミラー部材２４１及び第３ミラー部材２４２に加えて、第２ミラー部材２４１及び第３ミラー部材２４２を保持する保持フレーム２４５を備える。第２ミラー部材２４１は、第３ミラー部材２４２から離間して保持される。
【００５７】
ロック機構６００は、上述のハンドル６１１及び回転シャフト６１０に加えて、ロック部材６２０を備える。ロック部材６２０は、回転シャフト６１０に接続された接続部材６２１と、接続部材６２１の上端縁からミラーユニット２４０へ向けて突出する突出部材６２２と、を含む。接続部材６２１は、略Ｌ字状の断面を有するＬ字部材６２３と、Ｌ字部材６２３から下方に延出し回転シャフト６１０に一体的に接続された接続アーム６２４と、を含む。したがって、接続部材６２１及びこれに連なる突出部材６２２は、回転シャフト６１０の回転に伴って回転する。本実施形態において、接続部材６２１は、第１部材として例示される。
【００５８】
図４及び図５に示されるミラーユニット２４０は、筐体２０５の左壁２０６の近傍に配設されている。図４に示される突出部材６２２は、第３ミラー部材２４２の右方に存在しない一方で、図５に示される突出部材６２２は、第３ミラー部材２４２の右方に存在する。したがって、図４に示されるミラーユニット２４０は、右壁２０７に向かって移動することができるのに対し、図５に示されるミラーユニット２４０の右壁２０７への移動は突出部材６２２によって規制される。以下の説明において、図４に示される突出部材６２２の位置は、解除位置と称される。また、図５に示される突出部材６２２の位置は、ロック位置と称される。ハンドル６１１及び回転シャフト６１０の操作によって、突出部材６２２は、解除位置とロック位置との間で移動する。本実施形態において、突出部材６２２は、第２部材として例示される。また、ロック部材６２０は、ロック部材として例示される。
【００５９】
ロック機構６００は、突出部材６２２の下面に接着されたクリーニング層６３０を更に備える（図４参照）。クリーニング層６３０は、弾性的に圧縮変形可能な材料（例えば、スポンジ、ゴムや他の適切な材料）から形成される。本実施形態において、クリーニング層６３０は、クリーニング部材として例示される。
【００６０】
＜クリーニング動作＞
図６Ａ乃至図６Ｃは、クリーニング層６３０によるクリーニング動作を表す概略的な断面図である。図２、図３、図６Ａ乃至図６Ｃを用いて、クリーニング動作が説明される。
【００６１】
図６Ａに示される突出部材６２２は、解除位置に存し、接続部材６２１の上端縁から第２ミラー部材２４１と第３ミラー部材２４２との間に向けて、略水平に突出する。第２ミラー部材２４１及び第３ミラー部材２４２は、光源ユニット２２０の第１ミラー部材２２２からの反射光をＣＣＤカメラ２３０に向けて案内するための反射ミラー２４９を含む。第２ミラー部材２４１の反射ミラー２４９は下方を向いているのに対し、第３ミラー部材２４２の反射ミラー２４９は上向きである。したがって、筐体２０５内で浮遊する異物（例えば、埃）は、第２ミラー部材２４１の反射ミラー２４９よりも第３ミラー部材２４２の反射ミラー２４９に付着しやすい。後述される如く、クリーニング層６３０は、第３ミラー部材２４２に付着した異物を除去するために用いられる。本実施形態において、第３ミラー部材２４２の反射ミラー２４９は、ミラー部材として例示される。
【００６２】
図６Ｂに示される突出部材６２２は、解除位置とロック位置との間に存する。クリーニング層６３０は、突出部材６２２の先端に取り付けられた第１層６３１と、第１層６３１と接続部材６２１との間で延びる第２層６３２と、を含む。第１層６３１は、第２層６３２よりも厚い。回転シャフト６１０が回転されると、突出部材６２２は第３ミラー部材２４２の反射ミラー２４９に覆い被さるように移動する。この間、第１層６３１は、第３ミラー部材２４２の反射ミラー２４９に押しつけられ、圧縮変形しながら第３ミラー部材２４２の反射ミラー２４９を摺接しながら移動する。
【００６３】
図６Ｃに示される突出部材６２２は、ロック位置に存する。図６Ｂに示される回転シャフト６１０が更に回転されると、突出部材６２２は、ロック位置に到達する。このとき、反射ミラー２４９が取り付けられた第３ミラー部材２４２の面２４８は、クリーニング層６３０及び突出部材６２２に完全に覆われる。かくして、ミラーユニット２４０は、固定される。
【００６４】
上述の如く、クリーニング層６３０は、圧縮変形可能な弾性材料から形成される。したがって、輸送時に生じた衝撃は、クリーニング層６３０によって適切に吸収される。したがって、ミラーユニット２４０に過度の衝撃は伝達されにくくなる。
【産業上の利用可能性】
【００６５】
上述の実施形態の原理は、原稿からの反射光を利用して原稿の画像を読み取る読取装置及び当該読取装置によって読み取られた画像を形成する様々な画像形成装置に適用される。
【符号の説明】
【００６６】
１００・・・・・複写機（画像形成装置）
２００・・・・・読取装置
２０５・・・・・筐体
２１０・・・・・硝子板（載置板）
２２０・・・・・光源ユニット
２３０・・・・・ＣＣＤカメラ（データ生成部）
２４０・・・・・ミラーユニット
２４９・・・・・反射ミラー（ミラー部材）
４００・・・・・画像形成部
６００・・・・・ロック機構
６１０・・・・・回転シャフト
６１１・・・・・ハンドル（操作部材）
６２０・・・・・ロック部材
６２１・・・・・接続部材（第１部材）
６２２・・・・・突出部材（第２部材）
６３０・・・・・クリーニング層（クリーニング部材）
【図１】
2013007885.tif 000003
【図２】
2013007885.tif 000004
【図３】
2013007885.tif 000005
【図４】
2013007885.tif 000006
【図５】
2013007885.tif 000007
【図６Ａ】
2013007885.tif 000008
【図６Ｂ】
2013007885.tif 000009
【図６Ｃ】
2013007885.tif 000010